(57)【要約】【課題】破砕処理効率を維持しつつ、噛み込んだ異物の除去作業性を向上することができる木材破砕機を提供する。【解決手段】外周部に破砕ビット６５を配設した破砕ロータ６１と、この破砕ロータ６１の外周側に設けた第１アンビル６２と、この第１アンビル６２の破砕ロータ回転方向下流側に設けられ、破砕ロータ６１と間隙をもって配設した第１スクリーン６９と、第１アンビル６２及び第１スクリーン６９を支持し、第１アンビル６２に過負荷が作用した場合に第１スクリーン６９が第１アンビル６２と共に退避するように回動可能に設けられた支持フレーム１２５と、支持フレーム１２５に接続され、第１アンビル６２に作用する過負荷により支持フレーム１２５が設置位置から退避することを許容するシアピン７７とを備える。【選択図】  図３
2005319349.tif 000002
【特許請求の範囲】
【請求項１】
外周部に破砕ビットを配設した破砕ロータと、
この破砕ロータの外周側に設けた固定刃と、
この固定刃の前記破砕ロータ回転方向下流側に設けられ、前記破砕ロータと間隙をもって配設した篩部材と、
前記固定刃及び前記篩部材を支持し、前記固定刃に過負荷が作用した場合に前記篩部材が前記固定刃と共に退避するように回動可能に設けられた支持部材と、
前記支持部材に接続され、前記固定刃に作用する過負荷により前記支持部材が設置位置から退避することを許容する回動許容部材と
を備えたことを特徴とする木材破砕機。
【請求項２】
前記支持部材は、前記固定刃を前記破砕ロータ回転方向上流側に備えると共に、前記篩部材が前記破砕ロータの軸線方向に抜き差し可能に載置される第１フレームと、この第１フレームに回動可能に接続され、前記第１フレームと協働して前記篩部材を挟み込む第２フレームと、前記第１フレームと前記第２フレームとに接続され、前記第２フレームを前記第１フレームに対して回動させるアクチュエータとからなることを特徴とする請求項１記載の木材破砕機。
【請求項３】
前記支持部材の前記破砕ロータに近づく方向への回動動作を規制する回動規制手段を設けたことを特徴とする請求項１又は請求項２記載の木材破砕機。
【請求項４】
前記回動規制手段は、前記破砕ロータの側面に設けた側面カバーに、前記支持部材の回動面に対し略垂直な方向に穿設した貫通孔に進退可能に支持された係止部材と、この係止部材を前記支持部材に対して付勢する付勢手段とを有することを特徴とする請求項３記載の木材破砕機。
【請求項５】
走行手段を備え自走可能であることを特徴とする請求項１乃至請求項４のいずれかに記載の木材破砕機。
【発明の詳細な説明】
【技術分野】
【０００１】
本発明は、剪定枝材・間伐材、枝木材、廃木材等を破砕対象とする木材破砕機に関し、例えば破砕ロータを回転させて被破砕木材を破砕する木材破砕機に関するものである。
【背景技術】
【０００２】
例えば、森林で伐採された木材を枝払いするときに発生する剪定枝材・間伐材や、造成・緑地維持管理等で発生する枝木材、あるいは木造家屋に使用された廃木材は、通常、最終的に産業廃棄物として処理される。木材破砕機は、廃棄物処理過程における廃棄物の減容を図ったり、粉砕した後の粉砕物を発酵処理し有機肥料として再利用することを目的に、それら枝材・枝木材等を、運搬する前にその作業現場で所定の大きさに破砕するものである。
【０００３】
この種の木材破砕機として、外周部に破砕ビット（カッター）を配設した破砕ロータ（回転ロータ）を有する回転式の破砕装置と、破砕ロータの外周側に設けられた固定刃（アンビル）と、シアピンにより保持され、固定刃を支持する支持部材と、破砕ビット及び固定刃により破砕された破砕物を挿通させる複数の開口部を備えた篩部材（グレート）とを備えたものが開示されている（例えば、特許文献１参照。）。
【０００４】
【特許文献１】米国特許第５９４７３９５号明細書
【発明の開示】
【発明が解決しようとする課題】
【０００５】
上記従来技術では、投入された被破砕木材を破砕ロータに取り付けた破砕ビットで１次破砕して、この１次破砕された木材片を破砕ビットと固定刃によりさらに２次破砕する。このとき、例えば被破砕木材中に混入した金属や石などの破砕不可能な異物が破砕ビットと固定刃との間に噛み込んだ場合等、固定刃に過負荷が作用すると、支持部材を保持しているシアピンが破断し、支持部材が固定刃を破砕ロータから退避させるように回動する。これにより、異物の噛み込みによる固定刃や破砕ロータの軸受等の破損を防止する構造になっている。また一方で、篩部材が破砕ロータ外周側における固定刃の下流側から被破砕木材の投入部に到るまでの広い領域に設けられており、破砕物の排出面積を極力大きく確保して処理効率を向上するように図られている。
【０００６】
しかしながら、上記従来技術においては、破砕ビットと固定刃との間に異物が噛み込み固定刃に過負荷が作用した場合に、回動して破砕ロータから退避する部分が固定刃及びこれを支持する支持部材のみであるため、その回動により現出する開口部が狭く、噛み込んだ異物等を除去しにくい。また、固定刃の下流側に位置する篩部材は破砕ビットと僅かな間隙しか有していないため、異物がこれら破砕ビットと篩部材との間に噛み込むことも考えられ、その際には上記現出した開口部から異物を除去するのは困難であり、篩部材の取り外し作業が必要となる。すなわち、上記従来技術では、噛み込んだ異物を除去するための作業性の考慮が不充分であった。
【０００７】
本発明は、上記従来技術の問題に鑑みてなされたものであり、その目的は、破砕処理効率を維持しつつ、噛み込んだ異物の除去作業性を向上することができる木材破砕機を提供することにある。
【課題を解決するための手段】
【０００８】
（１）上記目的を達成するために、本発明の木材破砕機は、外周部に破砕ビットを配設した破砕ロータと、この破砕ロータの外周側に設けた固定刃と、この固定刃の前記破砕ロータ回転方向下流側に設けられ、前記破砕ロータと間隙をもって配設した篩部材と、前記固定刃及び前記篩部材を支持し、前記固定刃に過負荷が作用した場合に前記篩部材が前記固定刃と共に退避するように回動可能に設けられた支持部材と、前記支持部材に接続され、前記固定刃に作用する過負荷により前記支持部材が設置位置から退避することを許容する回動許容部材とを備えるものとする。
【０００９】
本発明においては、篩部材と固定刃とを回動可能な支持部材によって支持する構造とする。このような構造により、例えば破砕ビットと固定刃との間に異物が噛み込み固定刃に過負荷が作用した場合には、支持部材を回動させて固定刃と篩部材とを破砕ロータから退避させ、固定刃や破砕ロータの軸受等の破損を防止する。このように固定刃のみでなく篩部材についても破砕ロータから退避させることにより、その際に現出する開口部を大きくすることができる。したがって、過負荷の原因となった異物の除去作業の作業性を向上することができる。さらに本発明によれば、上記のように篩部材についても回動させて退避させることから、例えば破砕ビットと篩部材との間に異物が噛み込んだ場合であっても、その異物を容易に除去することが可能となる。なおこのとき、例えば篩部材を分割し、その一部の篩部材についてのみ固定刃と共に回動する構造とすれば、篩部材全体としては例えば固定刃の破砕モータ回転方向下流側から被破砕木材の投入部に到るまでの広い領域に配設することが可能となり、破砕ロータの外周側における破砕物の排出面積を極力大きく確保して処理効率を維持することが可能である。以上のことから、本発明によれば、破砕処理効率を維持しつつ、噛み込んだ異物の除去作業性を向上することができる。
【００１０】
（２）上記（１）において、好ましくは、前記支持部材は、前記固定刃を前記破砕ロータ回転方向上流側に備えると共に、前記篩部材が前記破砕ロータの軸線方向に抜き差し可能に載置される第１フレームと、この第１フレームに回動可能に接続され、前記第１フレームと協働して前記篩部材を挟み込む第２フレームと、前記第１フレームと前記第２フレームとに接続され、前記第２フレームを前記第１フレームに対して回動させるアクチュエータとからなるものとする。
【００１１】
（３）上記（１）又は（２）において、また好ましくは、前記支持部材の前記破砕ロータに近づく方向への回動動作を規制する回動規制手段を設けるものとする。
【００１２】
例えば、破砕ビットに絡まった異物が破砕ビットと固定刃との間に噛み込むことにより固定刃に過負荷が作用し、支持部材が固定刃を破砕ロータから退避させるように回動した場合に、その回動した支持部材が重力により回動前の最初の位置に戻ろうとする可能性がある。このような場合、破砕ロータは慣性により急には停止できないことから、破砕ビットに絡まった異物が戻ってきた固定刃に再度衝突し、衝撃によって固定刃及び支持部材等が破損するおそれがある。
【００１３】
そこで本発明においては、回動規制手段により支持部材の破砕ロータに近づく方向への回動動作を規制するので、上記のように過負荷により支持部材が破砕ロータから退避する方向に回動した後は、破砕ロータ方向には回動しない。これにより、上記したような固定刃及び支持部材等の破損を防止することができる。
【００１４】
（４）上記（３）において、さらに好ましくは、前記回動規制手段は、前記破砕ロータの側面に設けた側面カバーに、前記支持部材の回動面に対し略垂直な方向に穿設した貫通孔に進退可能に支持された係止部材と、この係止部材を前記支持部材に対して付勢する付勢手段とを有するものとする。
【００１５】
（５）上記（１）乃至（４）のいずれかにおいて、また好ましくは、走行手段を備え自走可能であるものとする。
【発明の効果】
【００１６】
本発明によれば、破砕処理効率を維持しつつ、噛み込んだ異物の除去作業性を向上することができる。
【発明を実施するための最良の形態】
【００１７】
以下、本発明の木材破砕機の一実施の形態を図面を参照しつつ説明する。
図１は本発明の木材破砕機の一実施の形態である自走式木材破砕機の全体構造を表す側面図、図２は図１に示した自走式木材破砕機の上面図、図３は後述する破砕装置１２近傍の側面カバー内部の詳細構造を表す側面図である。なお、以下において、図１中の左・右に対応する方向を木材破砕機の後・前、又は一方・他方とする。
【００１８】
これら図１乃至図３において、１は自力走行を可能にする走行体（走行手段）、２はこの走行体１上に設けられ受け入れた被破砕木材を破砕する破砕機能構成部、３はこの破砕機能構成部２で破砕された破砕物を搬送し機外に排出する排出コンベア、４は搭載した各機器の動力源（エンジン）等を備えた動力装置（パワーユニット）で、本例の自走式木材破砕機は、これら走行体１、破砕機能構成部２、排出コンベア３、動力装置４等によって概略構成されている。
【００１９】
上記走行体１は、トラックフレーム５と、このトラックフレーム５の前後両端部に設けた駆動輪６及び従動輪７と、出力軸を駆動輪６の軸に連結した駆動装置（走行用油圧モータ）８と、駆動輪６及び従動輪７に掛け回した履帯（無限軌道履帯）９とで構成されている。また、３６は上記トラックフレーム５上に設けた本体フレームで、この本体フレーム３６によって、上記破砕機能構成部２や排出コンベア３、動力装置４等が支持されている。
【００２０】
上記破砕機能構成部２は、投入される被破砕木材を受け入れるホッパ１０と、このホッパ１０内に収容配置された被破砕木材の搬送手段としての送りコンベア１１と、この送りコンベア１１によって導入された被破砕木材を破砕する破砕装置１２（図３参照）と、この破砕装置１２の手前で破砕装置１２に導入される被破砕木材を送りコンベア１１に押し付ける押圧コンベア装置１３（図３参照）とを備えている。
【００２１】
図４はホッパ１０の後端近傍の詳細構造を表す側面図、図５はこの図４中のＶ−Ｖ矢視断面図、図６は後方から見たホッパ１０の正面図で、これらの図において、先の各図と同様の部分には同符号を付し説明を省略する。但し、図４においては、後述する外壁体１５を取り外した状態を図示している。
【００２２】
図４乃至図６において、ホッパ１０は、有底状に形成され、本体フレーム３６上の破砕ロータ６１（後述）の後方側にほぼ水平に設けられており、送りコンベア１１の後方側に設けた後壁体１４と、幅方向左右両側の外壁体１５と、外壁体１５の内側で送りコンベア１１の幅方向両側に設けられ、外壁体１５との間に間隙が確保されるように複数の部材でＬ字型に構成された側壁体１６と、外壁体１５及び側壁体１６の上部に掛け渡すようにして、上方に向かって拡開形状に設けられた拡開部（あおり部）１７と、送りコンベア１１の下方側に僅かに間隙を介するように底部全面に設けた底壁体１８と、前方側端部に設けた前壁体１９（前述の図３参照）とを備えている。後壁体１４の上端は送りコンベア１１の搬送面と同等かそれよりも僅かに高い程度、前壁体１９の上端は送りコンベア１１の搬送面よりも僅かに低い程度に、それぞれ設定されている。
【００２３】
図７は、送りコンベア１１の後端部の詳細構造を表す図６中のVII−VII矢視断面図で、この図において、先の各図と同様の部分には同符号を付し説明を省略する。
本実施の形態において、ホッパ１０の後壁体１４は、後端に位置する後壁部２０と、この後壁部２０の下端部に略直角に設けられた底壁部２１とにより一体的に構成されており、側方側から見て略Ｌ字型形状をしている。上記底壁部２１は後壁部２０の下端から略水平に送りコンベア１１の従動輪４１（後述）の下方位置まで延設され、ビーム３７を挟んで底壁体１８と略同一平面上に設けられており、底壁体１８と共にホッパ１０の底部を構成する。後壁部２０の上端部には、ブラケット２２を介してピン２３が設けられており、後壁部２０は、このピン２３を支点に側壁体１６に対し回動可能に取り付けられている。これによって、後壁部２０と底壁部２１とが一体となって（すなわち後壁体１４が）回動し、ホッパ１０の後端部が開閉可能となっている。なお、底壁部２１上には、送りコンベア１１の後端部の軌跡に僅かな間隙を介して沿うように円弧状に形成した案内部材３５が設けられ、投入される被破砕木材が送りコンベア１１の後方のスペースに入り込むことを抑制している。
【００２４】
２４，２５は後壁体１４を閉状態で保持するためのロック機構であり、ロック機構２４はＬ字型の側壁体１６の底部の後端部に渡したビーム２６の後端面に、ロック機構２５はロック機構２４よりもやや前方位置における側壁体１６の底部上面に、それぞれ設けられている。
【００２５】
図８（ａ）及び図８（ｂ）は、それぞれ図６と同じ方向から見たロック機構２４の詳細図で、これらの図において、先の各図と同様の部分には同符号を付し説明を省略する。なお、詳細な説明は省略するが、ロック機構２５の構成もロック機構２４と同様である。また、ロック機構２４，２５は自走式木材破砕機の車体幅方向（図２中上下方向）両側にそれぞれ同様に設けられており、図８（ａ）及び図８（ｂ）はその片側について図示したものである。
【００２６】
図８（ａ）及び図８（ｂ）において、ロック機構２４は、ビーム２６に複数のボルト２７によって固定された支持板２８と、この支持板２８に所定の間隔で設けられた２枚のブラケット２９と、これらブラケット２９に挿通するピン３０と、ピン３０の外周部にほぼ直角に設けたハンドル３１と、このハンドル３１を係止するための係止部材３２と、後壁体１４の下端部に固定されたブラケット３３とを備えている。
【００２７】
このように構成することで、図８（ａ）のように、ピン３０が後壁体１４側のブラケット３３に挿入され、ハンドル３１がブラケット２９と係止部材３２との間に係止されているときには、ピン３０を介して後壁体１４が側壁体１６に対して固定され、後壁体１４は閉状態で保持される。一方、ハンドル３１がほぼ水平となる位置にピン３０を回転させ、ハンドル３１を係止部材３２の切り欠き部を通してピン３０をスライドさせ、図８（ｂ）に示すようにブラケット３３からピン３０を抜くことにより、後壁体１４と側壁体１６との間の拘束が解かれる。さらに、もう一つのロック機構２５を設けているので、同じように、ロック機構２５側も後壁体１４側に設けたブラケットからピンを抜く。本例では、ロック機構２４，２５を自走式木材破砕機の幅方向のもう一方側にも設けているので、同様にしてそちら側のロック機構２４，２５についても解除する。これにより、後壁体１４の拘束が完全に解かれ、後壁体１４の開閉が可能となる。
【００２８】
後壁体１４が開放された状態を、図７と対応させて図９に示す。この図９に示すように、後壁体１４を側壁体１６に対して回動させ後壁体１４を開放した状態で、ロック機構２４のピン３０を再び図８（ａ）に示す位置に戻して後壁体１４の底壁部２１に設けられた開口２１ａに挿し込むことにより、後壁体１４は開放状態で保持される（すなわち、ロック機構２４は後壁体１４を開放状態で保持するためのロック機構でもある）。これにより、後壁体１４を開放してホッパ１０内の清掃作業を行う際の作業性及び作業者の安全性を向上できるようになっている。
【００２９】
なお、３４はピン３０の脱落を防止するスナップリングで、このスナップリング３４は、ブラケット２９，２９の間に位置するようにピン３０の外周部に設けられている。本例においては、図８（ａ）のロック時、図８（ｂ）のロック解除時に、それぞれ内側、外側のブラケット２９に当接する位置にスナップリング３４を設けることにより、ピン３０のストロークを適当な長さに制限してある。
【００３０】
送りコンベア１１は、破砕ロータ６１（後述）側に設けられたスプロケット状の駆動輪４０（図３参照）と、その反対側（木材破砕機後方側、後壁体１４側）に設けた従動輪４１（図７等参照）と、これら搬送方向両端部に設けた駆動輪４０及び従動輪４１の間に巻回され、幅方向に複数列（この例では４列、図２参照）列設された搬送体（搬送ベルト、チェーンベルト）４２とを備えている。なお、搬送体４２については、繁雑防止のため、先の図３、後の図１０及び図１７中では図示省略してある。
【００３１】
従動輪４１は、ホッパ１０の側壁体１６後部の外壁面に設けた軸受４３（図４参照）によって支持され、駆動輪４０は、側壁体１６の前方側にほぼ同一面上に位置するように設けた破砕装置１２の側面カバー４５における外壁面に設けた軸受４６（後述の図１０参照）によって支持されている。これにより、送りコンベア１１は、上記ホッパ１０内の下部、すなわちホッパ１０の側壁体１６の内側からから破砕ロータ６１（後述）近傍にかけ、ほぼ水平に延設されホッパ１０及び破砕装置１２の側面カバー４５内に収納配置されている。
【００３２】
図１０は上記破砕装置１２付近の側面図、図１１はその内部構造を詳細に表す断面図で、これらの図において、先の各図と同様の部分には同符号を付し説明を省略する。
これら図１０及び図１１において、４５はホッパ１０の前方に設けた破砕装置１２の前記側面カバー、４６はこの側面カバー４５の外壁面に設けた送りコンベア１１の軸受である。送りコンベア１１の駆動輪４０の回転軸は、軸受４６よりも幅方向外側に設けた駆動装置（送りコンベア用油圧モータ、図示せず）の出力軸にカップリング等を介して連結している。送りコンベア１１は、その図示しない駆動装置を回転駆動させることにより、駆動輪４０及び従動輪４１の間で搬送体４２を循環駆動させるようになっている。
【００３３】
４７は駆動輪４０の回転軌跡に近接するように曲成され、ホッパ１０の底壁体１８及び前壁体１９に連接した案内部材、４８は駆動輪４０の回転軌跡よりも若干低位置でかつ駆動輪４０との対向端部が極力駆動輪４０の回転軌跡に近接するように前壁体１９の上部に配置したスクレーパである。これら案内部材４７及びスクレーパ４８の幅方向端部は、破砕装置１２の側面カバー４５に固定されている。
【００３４】
前述の押圧コンベア装置１３は、破砕ロータ６１（後述）の後方側に近接するように、被破砕木材を搬送する送りコンベア１１の搬送面（上側の面）に対向して設けられている。この押圧コンベア装置１３は、破砕機側面カバー４５に軸受５０（図１１参照）によってその回動軸５１（図３参照）が軸支され、これにより鉛直面内を回動自在に（上下方向に揺動自在に）支持された支持部材５２と、この支持部材５２に対し回転自在に設けられた押えローラ５３とを備えている。
【００３５】
支持部材５２は、回動軸５１を備えたアーム部５４と、このアーム部５４の先端側に設けられ、押えローラ５３を支持しているブラケット部５５とを備えている。アーム部５４の下部側の端面は円弧状に湾曲して形成されており、この湾曲部には、後述する破砕室６０の一部を構成する湾曲板６８が取付けられている。一方、ブラケット部５５における押えローラ５３の取付け部分は、押えローラ５３よりも小径の円弧状に形成されており、押えローラ５３の外周面がブラケット部５５から突出した構成となっている。押えローラ５３の幅方向（図３中の紙面直交方向）の寸法は、送りコンベア１１の搬送面の幅と同等かそれよりも大きく設定されている。
【００３６】
図３及び図１１において、５６，５７は押えコンベア装置１３の回動動作を制限するストッパで、これらストッパ５６，５７は、押えローラ５３が送りコンベア１１の駆動輪４０の近接位置まで下がると、ブラケット部５５、湾曲板６８がそれぞれ当接するように破砕機側面カバー４５の内側に配置されている。また、特に図示していないが、押えローラ５３は、その胴部内に駆動装置（押えローラ用油圧モータ）を内蔵しており、この図示しない駆動装置によって、送りコンベア１１の搬送面に転動する方向に被破砕木材の搬送速度とほぼ同じ周速度で回転し、押え込んだ送りコンベア１１上の被破砕木材を送りコンベア１１と協動して破砕装置１２に導入するようになっている。
【００３７】
前述の破砕装置１２は、本体フレーム３６の長手方向ほぼ中央部上に搭載されており、図３及び図１１に示すように、破砕室６０内で高速回転する破砕ロータ６１と、この破砕ロータ６１の回転方向（正転方向、図３中時計回り方向）に対向するように配置した第１アンビル（固定刃）６２及び第２アンビル６３とを備えている。詳細は後述するが、第１及び第２アンビル６２，６３は、例えば過度な衝撃が加わった場合等には、破砕ロータ６１の正転方向に倣う方向に退避するように回動可能な構成となっている（図１１等参照）。
【００３８】
破砕ロータ６１は、例えば破砕装置１２の側面カバー４５（又は本体フレーム３６上に別途設けた図示しない支持部材）等に設けた軸受（図示せず）によって回転自在に軸支されており、その外周部には、複数の支持部材６４と、これら支持部材６４にそれぞれ取り付けられた破砕ビット（衝突板、或いは破砕刃等）６５とが設けられている。破砕ビット６５は、破砕ロータ６１が正転方向に回転する際にその刃面が支持部材６４に先行するように配置されている。また、各破砕ビット６５は、ボルト６６等によって支持部材６４に固定され、摩耗した場合にも容易に交換可能な構成となっている。なお、図１０において、６７は破砕ロータ６１を回転駆動させる駆動装置（破砕ロータ用油圧モータ）で、この駆動装置６７は、特に図示していないが、破砕装置１２の側面カバー４５に対してボルト等によって固定されており、その出力軸は、Ｖベルト等を介して破砕ロータ６１の回転軸に連結されている。
【００３９】
前述した破砕室６０は、破砕ロータ６１に対し、上方側に設けた前述の湾曲板６８や、前方側において第１アンビル６２及び第２アンビル６３の間に設けられ、破砕木材（木材チップ）の粒度を設定する口径で開口した多数の孔を有する第１スクリーン（篩部材）６９、及び下方側に設けられ、同様に多数の孔を有する第２スクリーン７０等によって概ね画定され、その後方側は被破砕木材導入部として解放されている。湾曲板６８は、前述したように押えコンベア装置１３のアーム部５４の湾曲部に取付けられており、押えコンベア装置１３の上下の揺動動作に伴って可動する構成となっている。また、第１及び第２スクリーン６９，７０は、破砕ビット６５との間にそれぞれ所定の間隙を介して破砕ロータ６１の回転軌跡（外周）にほぼ沿うように円弧状（曲面状）に形成され、着脱可能（交換可能）に配設される（詳細は後述）。
【００４０】
図１２及び図１３は第１アンビル６２及び第１スクリーン６９付近の構成を抽出しそれらの可動機構の詳細を表す図、図１４は図１２中のXIV−XIV矢視断面図で、これらの図において、先の各図と同様の部分には同符号を付し説明を省略する。
【００４１】
図１２乃至図１４において、７１は第１アンビル６２を取付けたアーム（第１フレーム）で、このアーム７１は、幅方向（図１４中の左右方向）に複数（本実施形態では３つ）設けられ、２本の回動軸７２，７３及びビーム７４によって連結され、枠型の支持フレーム（支持部材）１２５を構成している。この支持フレーム１２５は、例えば破砕機側面カバー４５（図１０参照）の外壁面に設けた軸受７５によって一方の回動軸７２が支持されることにより、回動軸７２を支点に回動可能な構成となっている。なお、回動軸７２，７３の向きは、それぞれ破砕ロータ６１の回転軸とほぼ平行である。
【００４２】
支持フレーム１２５は、その前端部が破砕機側面カバー４５に固定した支持部材７６にシアピン（回動許容部材）７７を介して連結されることにより、破砕作業時（例えば図３の状態のとき）、その第１アンビル６２が、上記湾曲板６８の周方向（破砕ロータ６１の周方向）一方側（図１２中の左側）でかつ湾曲板６８の内壁面よりも径方向（破砕ロータ６１の径方向）内側に突出するような姿勢で固定、保持されている。上記シアピン７７は、支持フレーム１２５に接続され、第１アンビル６２に作用する過負荷により支持フレーム１２５が設置位置から退避することを許容する。したがって、第１アンビル６２に、シアピン７７の許容を超えた衝撃荷重（過負荷）がかかった場合等は、シアピン７７が破断して支持フレーム１２５の拘束が解かれ、破砕室６０から退避するようになっており、第１アンビル６２や支持フレーム１２５等の各部の損傷が防止される（図１１にこの支持フレーム１２５が回動した状態を示す）。
【００４３】
なお、７８は例えば破砕機側面カバー４５（又は本体フレーム３６上に別途設けた図示しない支持部材）に対して固定されたストッパで、このストッパ７８は、アーム７１と他の構成部材との干渉を防止するため、第１アンビル６２の退避方向への支持フレーム１２５の回動範囲を制限している。
【００４４】
また、図１０に示す１２６は支持フレーム１２５の戻り防止用のストッパ（回動規制手段）である。このストッパ１２６の構造を図１５及び図１６を用いて説明する。図１５はストッパ１２６の全体構造を表す側面図（図１０と同方向から見た図）であり、図１６は図１５中XVI-XVI矢視断面図である。
【００４５】
これら図１５及び図１６において、ストッパ１２６は、側面カバー４５に穿設された貫通孔１２７に挿通され、アーム７１（アーム７１の回動面（回動軌跡が含まれる平面））に対し略垂直な方向に進退可能に支持された係止部材１２８と、この係止部材１２８の機外側（図１６中右側）に接続された取っ手１２９と、側面カバー４５に固定板１３１及びボルト１３０を介して固定された筒体１３２内に設けられ、係止部材１２８を支持フレーム１２５のアーム７１に対して付勢するバネ（付勢手段）１３３とから構成されている。このような構成により、通常時（支持フレーム１２５が回動していないとき）は、係止部材１２８はバネ１３３によってアーム７１に対して押し付けられた状態となっている。
【００４６】
支持フレーム１２５が回動してストッパ１２６が作動した状態を、図１６と対応させて図１７に示す。支持フレーム１２５が回動すると（前述の図１１に示す状態）、図１７に示すようにアーム７１が図１７中紙面奥方向に回動したことによって係止部材１２８がバネ１３３の付勢力で機内側（図１７中左側）に突出する。この突出した係止部材１２８によって、アーム７１の破砕ロータ６１方向（図１７中紙面手前方向）への回動が係止され、その結果、支持フレーム１２５の破砕ロータ６１に近づく方向への回動動作が防止されるようになっている。
【００４７】
図１２乃至図１４に戻り、８０は第１スクリーン６９を外周側からアーム７１に押し付けて保持する枠型のスクリーン支持部材（バナナプレート）で、このスクリーン支持部材（第２フレーム）８０は、その周方向（破砕ロータ６１の周方向）一方側（図１２では下側）端部が先の回動軸７３を介してアーム７１（支持フレーム１２５）に連結されている。また、スクリーン支持部材８０の周方向他方側端部は、油圧シリンダ（アクチュエータ）８１を介して先のビーム７４に連結されている。油圧シリンダ８１の両端は、それぞれスクリーン支持部材８０、ビーム７４にピンを介して回動可能に連結されており、この油圧シリンダ８１の伸縮動作に伴ってスクリーン支持部材８０がアーム７１に対して回動する（破砕ロータ６１に対して進退する）。つまり、油圧シリンダ８１を縮めることにより、スクリーン支持部材８０が第１スクリーン６９から離間する。その結果、第１スクリーン６９は破砕ロータ６１の軸線方向に引き抜き可能となり、第１スクリーン６９を容易に交換できる構成となっている。
【００４８】
なお、図１０及び図１１において、８２は第１スクリーン６９の交換作業に配慮して破砕機側面カバー４５に設けた第１スクリーン６９の引き出し、挿入用の開口部で、特に図示していないが、この開口部８２には、例えばボルト着脱式のカバー等が取付けられる。
【００４９】
図１４において、８５はスクリーン支持部材８０のロック機構で、このロック機構８５は、アーム７１と固定関係にあるブラケット８６と、このブラケット８６にボトム側端部が固定され幅方向（図１４中左右方向）に設けたロックシリンダ８７と、このロックシリンダ８７のロッド側端部及びスクリーン支持部材８０にそれぞれ固定され互いに係合するテーパ部を有するテーパブロック８８，８９と、ロックシリンダ８７の伸縮動作に伴うテーパブロック８８のスライド動作をガイドするガイド部材９０とを備えている。
【００５０】
アーム７１と固定関係にあるテーパブロック８８は、スクリーン支持部材８０及びアーム７１（支持フレーム１２５）の間に第１スクリーン６９が狭持されているとき、径方向（破砕ロータ６１の径方向）外側からスクリーン支持部材８０に設けたテーパブロック８９に係合する。すなわち、第１スクリーン６９が挟持されているときに、ロックシリンダ８７を伸長させ、テーパブロック８８，８９を係合させることにより、スクリーン支持部材８０の回動動作は拘束され、第１スクリーン６９は破砕作業持の破砕室６０を確定する位置（図３の位置）で強固に固定、保持される。したがって、油圧シリンダ８１の縮短によりスクリーン支持部材８０を回動させ第１スクリーン６９を交換する場合、まずロックシリンダ８７を縮短させ、テーパブロック８８，８９の係合を解いた上で行う。このロック解除時の状態を図１４に対応させて図１８に示す。なお、本実施の形態では、ロック機構８５を第１スクリーン６９の幅方向（図１４中左右方向）両側に設けているが、片側のみで足りる場合にはどちらかを省略してもよい。
【００５１】
図３、図１０及び図１１に戻り、９１は第２アンビル６３を取付けた枠型のアームで、このアーム９１は、例えば破砕機側面カバー４５（図１０参照）の外壁面（又は本体フレーム３６上に別途設けた図示しない支持部材）に設けた軸受９２によってその回動軸（図示せず）が支持され、その回動軸を支点に回動可能な構成となっている。該回動軸の向きは、破砕ロータ６１の回転軸とほぼ平行である。
【００５２】
アーム９１は、その前端部が破砕機側面カバー４５に固定した支持部材９３にシアピン９４を介して連結されることにより、破砕作業時（例えば図３の状態のとき）、第２アンビル６３が、第１スクリーン６９の周方向（破砕ロータ６１の周方向）一方側（図３中下側）でかつ第１スクリーン６９の内壁面よりも径方向（破砕ロータの径方向）内側に突出するような姿勢で固定、保持されている。したがって、第２アンビル６３に、シアピン９４の許容を超えた衝撃荷重（過負荷）がかかった場合等は、シアピン９４が破断してアーム９１の拘束が解かれ、アーム９１が第２アンビル６３を破砕室６０（破砕ロータ６１）から退避させるようになっており、第２アンビル６３やアーム９１等の各部の損傷が防止される。
【００５３】
このように、前述した支持フレーム１２５とアーム９１とはそれぞれ個別のシアピン７７，９４によって個別に支持されており、第１アンビル６２及び第２アンビル６３に過負荷が作用した場合にはそれぞれ独立して回動するようになっている。
【００５４】
なお、９５は例えば破砕機側面カバー４５（又は本体フレーム３６上に別途設けた図示しない支持部材）に対して固定されたストッパで、このストッパ９５は、アーム９１と他の構成部材との干渉を防止するため、第２アンビル６３の退避方向へのアーム９１の回動範囲を制限している。また、１３５（図１０参照）はアーム９１の戻り防止用のストッパ（回動規制手段）であり、アーム９１が破砕ロータ６１に近づく方向に回動するのを防止する。このストッパ１３５の構造は前述したストッパ１２６と同様であるので、説明を省略する。
【００５５】
図１９（ａ）乃至図１９（ｃ）は、前述した第２スクリーン７０付近の構成を抽出しその可動機構の詳細を表す図で、この図において、先の各図と同様の部分には同符号を付し説明を省略する。
【００５６】
図１９において、９７は第２スクリーン７０の押え板で、この押え板９７は、その外周部が第２スクリーン７０の内壁面との湾曲とほぼ一致するように形成されており、破砕作業時（図１９（ａ）の状態のとき）、例えば破砕機側面カバー４５（又は本体フレーム３６上に別途設けた図示しない支持部材）の内壁面に対し、外周部に第２スクリーン７０の内壁面が当接するようにボルト等によって固定されている。９８は第２スクリーン７０を外周側から押え板９７に押し付けて保持する枠型のスクリーン支持部材（バナナプレート）である。このスクリーン支持部材９８は、その周方向（破砕ロータ６１の周方向）一方側（図１９では左側）端部に設けた回動軸９９が破砕機側面カバー４５（又は本体フレーム３６上に別途設けた図示しない支持部材）に固定した軸受１００によって支持され、上下方向に回動する（破砕ロータ６１に対して進退する）構成となっている。
【００５７】
スクリーン支持部材９８の周方向他方側端部は、その破砕ロータ軸線方向両端の２箇所において、１対の油圧シリンダ１０１，１０１を介し、破砕機側面カバー４５の外壁面にボルト等で固定した支持部材１０２，１０２にそれぞれ連結されている。油圧シリンダ１０１の両端は、それぞれスクリーン支持部材９８、支持部材１０２にピンを介して回動可能に連結されており、この油圧シリンダ１０１の伸縮動作に伴ってスクリーン支持部材９８が回動軸９９を支点に回動する。これにより、油圧シリンダ１０１を伸長することにより、スクリーン支持部材９８が押え板９７から離間する。その結果、第２スクリーン７０は破砕ロータ６１の軸線方向に引き抜き可能となり、第２スクリーン７０を容易に交換できる構成となっている。
【００５８】
なお、図１０及び図１１において、１０３は第２スクリーン７０の交換作業に配慮して破砕機側面カバー４５に設けた第２スクリーン７０の引き出し、挿入用の切り欠き部で、図示していないが、この切り欠き部１０３には、例えばボルト着脱式のカバー等が取付けられる。
【００５９】
また、１０５はスクリーン支持部材９８のロック機構で、前記油圧シリンダ１０１と同様に、スクリーン支持部材９８の破砕ロータ軸線方向両端側に一対設けられている。このロック機構１０５は、破砕機側面カバー４５の外壁面に固定されたブラケット１０６と、このブラケット１０６にボトム側端部が固定され前後方向（図１９中左右方向）に設けたロックシリンダ１０７と、このロックシリンダ１０７のロッド側端部及びスクリーン支持部材９８にそれぞれ固定され互いに係合するテーパ部を有するテーパブロック１０８，１０９と、破砕機側面カバー４５の外壁面にボルト等で固定され、ロックシリンダ１０７の伸縮動作に伴うテーパブロック１０８のスライド動作をガイドするガイド部材１１０とを備えている。
【００６０】
テーパブロック１０８は、スクリーン支持部材９８及び押え板９７の間に第２スクリーン７０が狭持されているとき、径方向（破砕ロータ６１の径方向）外側からスクリーン支持部材９８に設けたテーパブロック１０９に係合する。これにより、第２スクリーン７０が挟持されているとき、ロックシリンダ１０７を伸長させ、テーパブロック１０８，１０９を係合させることで、スクリーン支持部材９８の回動動作は拘束され、第２スクリーン７０は破砕作業持の破砕室６０を確定する位置（図１９（ａ）の位置）で強固に固定、保持される。したがって、図１９（ｃ）のように油圧シリンダ１０１の伸長によりスクリーン支持部材９８を回動させ第２スクリーン７０を交換する場合は、まず図１９（ｂ）に示すようにロックシリンダ１０７を縮短させ、テーパブロック１０８，１０９の係合を解いた上で行う。このロック解除時の破砕装置１２周辺の状態を図２０に示す。なお、ロック機構１０５は、第２スクリーン７０の幅方向（例えば図１９（ａ）中紙面直交方向）両側に設けることが好ましいが、片側のみで足りる場合にはどちらかを省略しても良い。
【００６１】
図１及び図２に戻り、排出コンベア３は、排出側（前方側、図１及び図２中右側）部分が、動力装置４から突出して設けた支持部材１１２によって吊り下げ支持されている。また、その反対側（後方側、図１及び図２中左側）部分は、支持部材１１３を介して本体フレーム３６から吊り下げ支持されている。これにより、排出コンベア３は、破砕装置１２の下方から動力装置４の下方を通され、自走式木材破砕機前方側外方へ上り傾斜で配置されている。１１４はこの排出コンベア３のフレーム、１１５はこのフレーム１１４の長手方向両端に設けた駆動輪（図示せず）と従動輪（図示せず）との間に巻回したコンベアベルト（図示せず）上に設けたコンベアカバーである。１１６は駆動輪を回転駆動させる駆動装置（排出コンベア用油圧モータ）で、この駆動装置１１６を回転駆動させることにより、駆動輪及び従動輪の間でコンベアベルトを循環駆動させるようになっている。
【００６２】
また、上記の動力装置４は、本体フレーム３６の長手方向他方側（図１及び図２中右側）端部上に、支持部材１１７を介して搭載されている。この動力装置４の後方側でかつ幅方向一方側（図２中下側）の区画には、運転席１１８が設けられている。１１９はこの運転席１１８に設けた走行操作用の操作レバー、１２０はその他の操作や設定、モニタリング等を行うための操作盤である。操作盤１２０は、本例では地上から作業者が操作し易いよう機体の側部に設けられているが、運転席１１８に設けても構わない。
【００６３】
次に、上記構成の本実施の形態に係る木材破砕機の動作及び作用を順次説明する。
例えば油圧ショベルのグラップル等、適宜の作業具によりホッパ１０内に被破砕木材を投入すると、被破砕木材は、ホッパ１０の拡開部１７にガイドされて送りコンベア１１の搬送体４２上に載置され、ホッパ１０の側壁体１６によって案内されつつ循環駆動する搬送体４２によって木材破砕機前方側に向かってほぼ水平方向に搬送される。
【００６４】
送りコンベア１１上の被破砕木材は、押圧コンベア装置１３付近まで搬送されると、押圧コンベア装置１３の押えローラ５３の下部に入り込み押圧コンベア装置１３を押し上げる。これにより、送りコンベア１１上の被破砕木材は、押圧コンベア装置１３の自重の作用により送りコンベア１１との間に押圧把持された状態で、破砕室６０へと導入される。これにより、破砕時には、被破砕木材は、押えローラ５４と送りコンベア１１とに挟持された部分を支点に片持ち梁状に破砕室６０内に突出し、この突出部分が、回転する破砕ロータ６１の破砕ビット６５が衝突することで比較的大雑把に１次破砕される。１次破砕された被破砕木材の木材片は、破砕ロータ６１の外周側の破砕室６０内の空間を破砕ロータ６１の回転方向に周回し、第１及び第２アンビル６２，６３に衝突して２次破砕される。これにより、第１及び第２スクリーン６９，７０に設けた孔よりも粒度が小さくなった木材片は、これら第１及び第２スクリーン６９，７０の孔を通過して排出される。一方、破砕された破砕途中の木材片のうち第１及び第２スクリーン６９，７０に多数設けた孔よりも大きな粒度のものは継続して破砕室６０内を周回し、破砕ビット６５や第１及び第２アンビル６２，６３に再度衝突することにより第１及び第２スクリーン６９，７０の孔を通過する粒度にまで粉砕され、破砕装置１２から排出される。
【００６５】
破砕装置１２から排出された破砕木材（木材チップ）は、シュート（図示せず）を介し循環駆動する排出コンベア３のコンベアベルト上に落下し、前方側（図１及び図２中右側）へと搬送され、リサイクル品として排出される。
【００６６】
このような手順で行われる破砕作業において、例えば破砕ビット６５に異物が絡まり、その絡まった異物が破砕ビット６５と第１アンビル６２との間に噛み込み第１アンビルに過負荷を作用させたような場合には、シアピン７７が破断して支持フレーム１２５（正確にはスクリーン支持部材８０及び油圧シリンダ８１も含む）が第１アンビル６２を破砕ロータ６１から退避させるように回動する。また、異物が破砕ビット６５と第２アンビル６３との間に噛み込んで第２アンビルに過負荷を作用させたような場合には、シアピン９４が破断してアーム９１が第２アンビル６３を破砕ロータ６１から退避させるように回動する。なおこのとき、ストッパ１２６，１３５により、回動した支持フレーム１２５及びアーム９１は、第１及び第２アンビル６２，６３が破砕ロータ６１に近づく方向への回動動作を規制される。そして、支持フレーム１２５（スクリーン支持部材８０及び油圧シリンダ８１も含む）が回動することにより現出した開口部（図示せず）を介し、作業者は噛み込んだ異物の除去作業を行う。
【００６７】
以上のような構成及び動作を行う本実施の形態によれば、以下のような作用を得ることができる。
すなわち、本実施の形態においては、破砕ロータ６１の外周側に配置するスクリーンを第１スクリーン６９と第２スクリーン７０とに分割して設け、そのうちの一方（ここでは第１スクリーン６９）と第１アンビル６２とを回動可能な第１フレーム（スクリーン支持部材８０及び油圧シリンダ８１も含む）によって支持する構造とする。このような構造とすることにより、上述したように破砕ビット６５と第１アンビル６２との間に異物が噛み込み第１アンビル６２に過負荷が作用した場合に第１アンビル６２のみでなく第１スクリーン６９についても破砕ロータ６１から退避させることが可能となり、その際に現出する異物除去のための開口部を大きくすることができる。したがって、作業者による過負荷の原因となった異物の除去作業の作業性を向上することができる。
【００６８】
また、異物は破砕ビット６５とスクリーンとの間に噛み込むことも考えられるが、その場合、前述した従来技術のような構造においてはスクリーンの取り外し作業が必要であった。これに対し、本実施形態によれば、上記のように第１スクリーン６９についても回動させて退避させることから、破砕ビット６５と第１スクリーン６９との間に異物が噛み込んだ場合であっても、作業者はその異物を容易に除去することができる。これらのことから、本実施形態によれば、噛み込んだ異物を除去するための作業性を向上することができる。
【００６９】
ここで本実施形態においては、スクリーンを分割してその一方についてのみ第１アンビル６２と共に回動する構造とすることから、第１スクリーン６９及び第２スクリーン７０を含めたスクリーン全体としては第１アンビル６２の破砕モータ回転方向下流側から被破砕木材の投入部に到るまでの広い領域に配設することが可能であり、破砕ロータ６１の外周側における破砕物の排出面積を極力大きく確保して処理効率を維持することが可能である。以上のことから、本実施形態によれば、処理効率を維持しつつ、噛み込んだ異物の除去作業性を向上することができる。
【００７０】
さらに本実施の形態によれば、以下の作用をも得ることができる。すなわち、上述のように例えば破砕ビット６５に異物が絡まり、その絡まった異物の噛み込み等により第１及び第２アンビル６２，６３に過負荷が作用して支持フレーム１２５やアーム９１が回動した場合には、その回動した支持フレーム１２５やアーム９１が重力により回動前の最初の位置に戻ろうとする可能性がある。この場合、破砕ロータ６１は慣性により急には停止できないことから、破砕ビット６５に絡まった異物が戻ってきた第１及び第２アンビル６２，６３に再度衝突し、これら第１及び第２アンビル６２，６３や支持フレーム１２５又はアーム９１等が衝撃により破損するおそれがある。
【００７１】
これに対し、本実施形態においては、ストッパ１２６，１３５により支持フレーム１２５及びアーム９１の破砕ロータ６１に近づく方向への回動動作を規制するので、支持フレーム１２５及びアーム９１が一旦破砕ロータ６１から退避する方向に回動した後は、破砕ロータ６１に近づく方向には回動しない。これにより、上記したような第１及び第２アンビル６２，６３や支持フレーム１２５又はアーム９１等の破損を防止することができる。
【００７２】
なお、以上は、破砕ロータ６１の外周側にアンビル（固定刃）を２つ設けた構造を例にとって説明したが、これに限らず、１つのアンビルのみ（例えば本実施形態では第１アンビル６２のみ）を設けた構造としてもよい。
【００７３】
また、以上は、被破砕木材の押圧導入手段として、前述した押えコンベア装置１３を採用したが、これに限られず、例えば、駆動ローラ及び従動ローラの間に無端状の部材（ベルトやチェーン等）を巻き回したものを用いてもよい。また、その押圧時の動作も、回動動作でなく上下動する構成として構わない。この場合も同様の効果を得る。
【００７４】
また、破砕装置として破砕ロータ６１の外周部に刃物（破砕ビット６５）を取り付けたいわゆるインパクトクラッシャを備えた木材破砕機を例にとって説明したが、これに限られず、他の破砕装置、例えば、平行に配置された軸にカッタを備え、互いに逆回転させることにより被破砕物をせん断する破砕装置（いわゆるシュレッダを含む２軸せん断機等）や、ロール状の回転体（ロータ）に破砕用の刃物を取り付けたものを一対としてそれら一対を互いに逆方向へ回転させ、それら回転体の間に被破砕物を挟み込んで破砕を行う回転式の破砕装置（いわゆるロールクラッシャを含む６軸破砕機等）や、被破砕物をチップ状にするいわゆる木材チッパーを備えた木材破砕機にも適用可能である。これらの場合も、上記と同様の効果を得る。
【００７５】
さらに、本発明を自力走行可能な木材破砕機に適用した場合を例にとって説明したが、これに限られず、牽引して走行可能な移動式木材破砕機、若しくは例えばクレーン等により吊り上げて運搬可能な可搬式木材破砕機、さらにはプラント等において固定機械として配置される定置式木材破砕機に適用しても良いことは言うまでもなく、これらの場合も上記と同様の効果を得る。
【図面の簡単な説明】
【００７６】
【図１】本発明の木材破砕機の一実施の形態の全体構造を表す側面図である。
【図２】本発明の木材破砕機の一実施の形態の全体構造を表す平面図である。
【図３】本発明の木材破砕機の一実施の形態に備えられた破砕装置近傍の側面カバー内部の詳細構造を表す側面図である。
【図４】本発明の木材破砕機の一実施の形態に備えられたホッパの後端近傍の詳細構造を表す側面図である。
【図５】本発明の木材破砕機の一実施の形態に備えられたホッパの後端近傍の詳細構造を表す図４中のV−V矢視断面図である。
【図６】本発明の木材破砕機の一実施の形態に備えられたホッパの後端近傍の詳細構造を表すホッパの後方から見た正面図である。
【図７】本発明の木材破砕機の一実施の形態に備えられた送りコンベアの後端部の詳細構造を表す図６中のVII−VII矢視断面図である。
【図８】本発明の木材破砕機の一実施の形態に備えられたホッパの後壁体のロック機構の詳細図である。
【図９】本発明の木材破砕機の一実施の形態に備えられたホッパの後壁体が開放された状態を表す図である。
【図１０】本発明の木材破砕機の一実施の形態に備えられた破砕装置付近の側面図である。
【図１１】本発明の木材破砕機の一実施の形態に備えられた破砕装置付近の内部構造を詳細に表す断面図である。
【図１２】本発明の木材破砕機の一実施の形態に備えられた第１アンビル及び第１スクリーン付近の構成を抽出しそれらの可動機構の詳細を表す図である。
【図１３】本発明の木材破砕機の一実施の形態に備えられた第１アンビル及び第１スクリーン付近の構成を抽出しそれらの可動機構の詳細を表す図である。
【図１４】本発明の木材破砕機の一実施の形態に備えられた第１アンビル及び第１スクリーン付近の構成を抽出しそれらの可動機構の詳細を表す図１２中のXIV-XIV矢視断面図である。
【図１５】本発明の木材破砕機の一実施の形態に備えられた戻り防止用ストッパの全体構造を表す側面図である。
【図１６】本発明の木材破砕機の一実施の形態に備えられた戻り防止用ストッパの全体構造を表す図１５中XVI-XVI矢視断面図である。
【図１７】本発明の木材破砕機の一実施の形態に備えられた戻り防止用ストッパの作動時の状態を表す断面図である。
【図１８】本発明の木材破砕機の一実施の形態に備えられた第１スクリーンのロック解除時の状態を表す図である。
【図１９】本発明の木材破砕機の一実施の形態に備えられた第２スクリーン付近の構成を抽出しその可動機構の詳細を表す図である。
【図２０】本発明の木材破砕機の一実施の形態に備えられた第２スクリーンのロック解除時の破砕装置周辺の状態を表す図である。
【符号の説明】
【００７７】
１          走行体（走行手段）
４５        側面カバー
６１        破砕ロータ
６２        第１アンビル（固定刃）
６５        破砕ビット
６９        第１スクリーン（篩部材）
７１        アーム（第１フレーム）
７７        シアピン（回動許容部材）
８０        スクリーン支持部材（第２フレーム）
８１        油圧シリンダ（アクチュエータ）
９４        シアピン
１２５      支持フレーム（支持部材）
１２６      ストッパ（回動規制手段）
１２７      貫通孔
１２８      係止部材
１３３      バネ（付勢手段）
【図１】
2005319349.tif 000003
【図２】
2005319349.tif 000004
【図３】
2005319349.tif 000005
【図４】
2005319349.tif 000006
【図５】
2005319349.tif 000007
【図６】
2005319349.tif 000008
【図７】
2005319349.tif 000009
【図８】
2005319349.tif 000010
【図９】
2005319349.tif 000011
【図１０】
2005319349.tif 000012
【図１１】
2005319349.tif 000013
【図１２】
2005319349.tif 000014
【図１３】
2005319349.tif 000015
【図１４】
2005319349.tif 000016
【図１５】
2005319349.tif 000017
【図１６】
2005319349.tif 000018
【図１７】
2005319349.tif 000019
【図１８】
2005319349.tif 000020
【図１９】
2005319349.tif 000021
【図２０】
2005319349.tif 000022